(57)【要約】【課題】  コネクタカバーの再利用を実現しながら、主制御基板の不正な取り外し等を行い難くしたコネクタカバーと、そのコネクタカバーを備えた遊技機とを提供する。【解決手段】  コネクタカバー３０は、上方部分を構成する第１ハーフ３１と、下方部分を構成する第２ハーフ３２とに、分割線３３によって分割されている。第１ハーフ３１の前部上端からは、先端に係止爪４１を有する５つの弾性係止片４２が等間隔で突設されている。また、第２ハーフ３２の前部下端からも、先端に係止爪４３を有する５つの弾性係止片４４が等間隔で突設されている。一方、基板ケース６のケースカバー１２には、各弾性係止片４２，４４が嵌入する８つの係止孔４５が穿設されており、各係止爪４１，４３が係止孔４５の縁部に係合している。【選択図】      図４
2008142302.tif 000002
【特許請求の範囲】
【請求項１】
電気ハーネスのコネクタが接続されるソケットが実装された主制御基板と、
前記主制御基板をケース本体とケースカバーとの間に収容するとともに、前記電気ハーネスが通過する開口が当該ケースカバーに形成されてなる主制御基板ケースと
を有する遊技機に設けられ、
前記主制御基板ケースに装着され、前記ソケットに接続されたコネクタの抜け止めに供されるコネクタカバーであって、
前記ケースカバーに形成された係止孔の縁部に係合する弾性係止手段を備えたことを特徴とするコネクタカバー。
【請求項２】
電気ハーネスのコネクタが接続されるソケットが実装された主制御基板と、
前記主制御基板をケース本体とケースカバーとの間に収容するとともに、前記電気ハーネスが通過する開口が当該ケースカバーに形成されてなる主制御基板ケースと
を有する遊技機に設けられ、
前記主制御基板ケースに装着され、前記ソケットに接続されたコネクタの抜け止めに供されるコネクタカバーであって、
前記主制御基板に形成された開口の縁部に係合する弾性係止手段を備えたことを特徴とするコネクタカバー。
【請求項３】
前記主制御基板ケースに装着された状態で、前記主制御基板に対向する面が前記コネクタの端面に当接することを特徴とする、請求項１または請求項２に記載されたコネクタカバー。
【請求項４】
前記電気ハーネスの貫通部位に臨む分割線により、第１ハーフと第２ハーフとに分割されたことを特徴とする、請求項１〜請求項３のいずれか１項に記載されたコネクタカバー。
【請求項５】
前記分割線が波状部を有し、当該波状部において、前記第１ハーフと前記第２ハーフとの少なくとも一方には、他方の縁部に係合する拡開防止爪が形成されたことを特徴とする、請求項４に記載されたコネクタカバー。
【請求項６】
請求項１〜請求項５に記載されたコネクタカバーを備えたことを特徴とする遊技機。
【発明の詳細な説明】
【技術分野】
【０００１】
本発明は、遊技機の主制御基板ケースに装着されるコネクタカバーと、このコネクタカバーを備えた遊技機とに係り、コネクタカバーの再利用を実現しながら、主制御基板の不正な取り外し等を行い難くする技術に関する。
【背景技術】
【０００２】
パチンコ遊技機やパチスロ遊技機等の遊技機は、大衆の健全な娯楽として発展してきたが、賞球やメダルを煙草等の景品に交換できるため、種々の不正行為の対象となることがある。そのため、不正行為がし難いような手段や、不正行為が行われたことを遊技機の管理者が早期に発見できるような手段等が遊技機に採用されている。例えば、近年の遊技機では大当たりの抽選等が主制御基板内で電子的に行われるため、主制御基板に搭載された真正ＲＯＭ（リード・オンリー・メモリ）を不正なプログラムが書き込まれた不正ＲＯＭに交換するという不正行為が知られている。そして、この不正行為に対して不正行為がし難いような手段としては、開封困難な基板ケースで主制御基板全体を覆うことが知られている。なお、基板ケースの開封を困難にする構造としては、特許文献１に開示されているようなワンウェイスクリューによる封印構造が知られており、この封印構造は、基板ケースが開封された（すなわち、封印部が工具等によって破壊された）場合に、基板ケースにその痕跡が残るようになっている。すなわち、この封印構造は、前述の不正行為が行われたことを遊技機の管理者が早期に発見できるような手段としても機能するようになっている。
【０００３】
ところが、上述した基板ケースの封印構造を無効化する不正行為として、ＩＣチップ等を組み込んだ不正ハーネスを主制御基板のソケットとコネクタとの間に介装させるものや、遊技機から基板ケースごと取り外し、新たに不正改造された主制御基板を収納した不正基板ケースを遊技機に装着するもの等が出現している。そこで、この種の不正行為を防ぐものとして、コネクタの両端部に係合する係合突起を袋部の内面に有するコネクタカバーを用い、主制御基板のソケットからコネクタを取り外せないようにする（すなわち、基板ケースをパチンコ遊技機から取り外せないようにする）技術が提案されている（特許文献２参照）。
【特許文献１】特許３２６１０８４号公報
【特許文献２】特開２００６−３４７８４号公報
【発明の開示】
【発明が解決しようとする課題】
【０００４】
上述した特許文献２の方法では、コネクタカバーの係合突起が袋部の内面に形成されているため、コネクタカバーをコネクタに一旦装着してしまうと、そのままでは主制御基板のソケットからコネクタを取り外すことができない。したがって、主制御基板の交換や検査等（以下、メンテナンス作業と記す）のために主制御基板と電気ハーネスとを分離させる場合、袋部を破壊しなければコネクタカバーを取り外せないことから、コネクタカバーを再利用することができなかった。また、特許文献２では、主制御基板のソケットにコネクタカバーの袋部が密着した状態で嵌合するため、メンテナンス作業者が相当に熟練していない場合、コネクタカバーを取り外す際に主制御基板のソケット等を損傷させてしまう虞があった。
【０００５】
本発明は、このような背景に鑑みなされたものであり、コネクタカバーの再利用を実現しながら、主制御基板の不正な取り外し等を行い難くしたコネクタカバーと、そのコネクタカバーを備えた遊技機とを提供することを目的とする。
【課題を解決するための手段】
【０００６】
請求項１の発明は、電気ハーネスのコネクタが接続されるソケットが実装された主制御基板と、前記主制御基板をケース本体とケースカバーとの間に収容するとともに、前記電気ハーネスが通過する開口が当該ケースカバーに形成されてなる主制御基板ケースと
を有する遊技機に設けられ、前記主制御基板ケースに装着され、前記ソケットに接続されたコネクタの抜け止めに供されるコネクタカバーであって、前記ケースカバーに形成された係止孔の縁部に係合する弾性係止手段を備えたことを特徴とする。
【０００７】
また、請求項２の発明は、電気ハーネスのコネクタが接続されるソケットが実装された主制御基板と、前記主制御基板をケース本体とケースカバーとの間に収容するとともに、前記電気ハーネスが通過する開口が当該ケースカバーに形成されてなる主制御基板ケースとを有する遊技機に設けられ、前記主制御基板ケースに装着され、前記ソケットに接続されたコネクタの抜け止めに供されるコネクタカバーであって、前記主制御基板に形成された開口の縁部に係合する弾性係止手段を備えたことを特徴とする。
【０００８】
また、請求項３の発明は、請求項１または請求項２に記載されたコネクタカバーにおいて、前記主制御基板ケースに装着された状態で、前記主制御基板に対向する面が前記コネクタの端面に当接することを特徴とする。
【０００９】
また、請求項４の発明は、請求項１〜請求項３のいずれか１項に記載されたコネクタカバーにおいて、前記電気ハーネスの貫通部位に臨む分割線により、第１ハーフと第２ハーフとに分割されたことを特徴とする。
【００１０】
また、請求項５の発明は、請求項４に記載されたコネクタカバーにおいて、前記分割線が波状部を有し、当該波状部において、前記第１ハーフと前記第２ハーフとの少なくとも一方には、他方の縁部に係合する拡開防止爪が形成されたことを特徴とする。
【００１１】
また、請求項６の発明に係る遊技機は、請求項１〜請求項５に記載されたコネクタカバーを備えたことを特徴とする。
【発明の効果】
【００１２】
請求項１の発明によれば、主制御基板ケースを開封しない限り、係止孔の縁部と弾性係止手段との係合を解くことができないため、不正行為者によるコネクタカバーの取り外しや主制御基板への働きかけ等が行われ難くなる。また、正規のメンテナンス作業時には、主制御基板ケースを開封することにより、ケースカバーの裏から係止孔の縁部と弾性係止手段との係合を解くことで、コネクタカバーの再利用等が可能となる。また、請求項２の発明によれば、弾性係止手段が主制御基板に形成された係止孔に係合するため、不正行為者によるコネクタカバーの取り外しがより困難となる。また、請求項３の発明によれば、電気ハーネスのコネクタがソケットから抜け出し難くなるとともに、コネクタカバーの倒れ等も生じ難くなる。また、請求項４の発明によれば、主制御基板のソケットに電気ハーネスのコネクタを接続した後、コネクタカバーを装着することができるため、電気ハーネスの種類が異なる種々の遊技機に適用できる。また、請求項５の発明によれば、不正行為者が分割線にドライバ等を差し込んでこじったような場合にも、コネクタカバーが分割線から大きく開くことがなくなり、不正行為を効果的に抑制できる。また、請求項６の発明によれば、不正行為者による主制御基板への働きかけや不正ハーネスの取り付けが効果的に抑制できる。
【発明を実施するための最良の形態】
【００１３】
以下、図面を参照して、本発明に係るコネクタカバーと、そのコネクタカバーが装着されたパチンコ遊技機の実施形態を詳細に説明する。
【００１４】
≪第１実施形態≫
図１は第１実施形態に係るパチンコ遊技機の背面を示す斜視図であり、図２は第１実施形態に係る基板ケースの正面図であり、図３は図２中のIII矢視図であり、図４は図２中IV−IV拡大断面図であり、図５は第１実施形態に係るコネクタカバーの正面図であり、図６は第１実施形態に係るコネクタカバーの展開斜視図であり、図７は第１実施形態に係るコネクタカバーの要部拡大断面図である。なお、本実施形態では、説明の便宜上、図２中の左方を左、上方を上とし、図３中の左方を後とする。
【００１５】
＜パチンコ遊技機の構成＞
図１に示すように、パチンコ遊技機１は、縦に長い長方形の外枠２や、外枠２の内側に嵌め込まれた遊技盤３、遊技盤３の中央に設置された図柄表示ユニット４、外枠２の上部に設置された外部端子板５、遊技盤３の下部に設置された透明樹脂製の基板ケース（主制御基板ケース）６、基板ケース６に収容された主制御基板７、払出制御基板（図示せず）を収容した払出制御基板ケース８等から構成されている。なお、パチンコ遊技機１の前面には、発射レバー９や図示しない各種役物、受け皿等が設置されている。
【００１６】
図２，図３に示すように、基板ケース６には、矩形の貫通孔１６ａ〜１６ｆが穿設されており、これらの貫通孔１６ａ〜１６ｆから主制御基板７の一方の面に実装されている第１〜第６ソケット１５ａ〜１５ｆの先端を突出させるようになっている。なお、第１〜第６ソケット１５ａ〜１５ｆは、中継基板や払出制御基板等との電気的結合に用いられるもので、図４（第４ソケット１５ｄの実装部位）に代表して示すように、第１〜第６ソケット１５ａ〜１５ｆには、主制御基板７を他の制御基板等に電気的に接続すべく、電気ハーネス１７ａ〜１７ｆのコネクタ１８ａ〜１８ｆがそれぞれ接続されている。
【００１７】
ここで、基板ケース６は、遊技盤３の背面に固定されるケース本体１１と、ケース本体１１を覆うケースカバー１２とからなっている。このケースカバー１２は、主制御基板７の第１〜第６ソケット１５ａ〜１５ｆが実装されている側の面（表面）を覆うようになっており、前述した貫通孔１６ａ〜１６ｆは、ケースカバー１２に設けられている。また、ケース本体１１は、主制御基板７の裏面を覆うようになっており、主制御基板７をケース本体１１に固定する図示しない固定部が設けられている。なお、主制御基板７とケース本体１１との固定はスクリュー（図示せず）にて行われ、このスクリューは主制御基板７側からケース本体１１に螺入され、スクリューの頭部も基板ケース６に収容されるようになっている。そして、主制御基板７の基板ケース６への収容／保持は、主制御基板７をケース本体１１に固定し、次いで、ケース本体１１をケースカバー１２に後述の締付ボス１３、１４を用いて固定することで行われる。この締結ボス（封印部）１３，１４は、ケース本体１１およびケースカバー１２の左右端部に、各４つ突設されており、これら締結ボス１３，１４のうち２組がワンウェイスクリュー１９によって締結されることにより、ケース本体１１とケースカバー１２とが一体化されている。なお、基板ケース６を開封する場合には、ワンウェイスクリュー１９によって締結された締結ボス１３，１４をニッパー等によって切断し、再び基板ケース６を封印する際には、他の２組の締結ボス１３，１４をワンウェイスクリューによって締結する。
【００１８】
＜コネクタカバー＞
ケースカバー１２には略直方体形状を呈する透明樹脂製のコネクタカバー３０が装着されており、このコネクタカバー３０によって第１〜第６ソケット１５ａ〜１５ｆの実装部位が覆われている。コネクタカバー３０は、上方部分を構成する第１ハーフ３１と、下方部分を構成する第２ハーフ３２とに、分割線３３によって分割されている。
【００１９】
図５に示すように、コネクタカバー３０には、電気ハーネス１７ａ〜１７ｆが挿通される６つの貫通孔（貫通部位）３４ａ〜３４ｆが形成されており、上述した分割線３３はこれら貫通孔３４ａ〜３４ｆに臨んでいる。
【００２０】
分割線３３には、第１貫通孔３４ａと第２貫通孔３４ｂとの間に第１波状部３５ａが形成され、第３貫通孔３４ｃと第４貫通孔３４ｄとの間に第２波状部３５ｂが形成され、第４貫通孔３４ｄと第４貫通孔３４ｅとの間に第３波状部３５ｃが形成されている。
【００２１】
図６にも示すように、第１ハーフ３１には２つの拡開防止爪３６ａ，３６ｂが第１，第３波状部３５ａ，３５ｂに臨んで形成され、第２ハーフ３２には３つの拡開防止爪３７ａ〜３７ｃが各波状部３５ａ〜３５ｃに臨んで形成されている。図７に示すように、第１ハーフ３１側の拡開防止爪３６ａ〜３６ｃは第２ハーフ３２の縁部内側に係合し、第２ハーフ３２側の拡開防止爪３７ａ，３７ｂは第１ハーフ３１の縁部内側に係合している。
【００２２】
図５，図６に示すように、第１ハーフ３１の前部上端からは、先端に係止爪４１を有する５つの弾性係止片４２が等間隔で突設されている。また、第２ハーフ３２の前部下端からも、先端に係止爪４３を有する５つの弾性係止片４４が等間隔で突設されている。一方、ケースカバー１２には、各弾性係止片４２，４４が嵌入する８つの係止孔４５が穿設されており、各係止爪４１，４３が係止孔４５の縁部に係合している。
【００２３】
第１ハーフ３１および第２ハーフ３２の内壁面には貫通孔３４ａ〜３４ｆを囲繞するかたちで係止突起４６，４７が突設されており、これら係止突起４６，４７の前端面がコネクタ１８ａ〜１８ｆの後端面に当接している。なお、各コネクタ１８ａ〜１８ｆ間で基板ケース６からの突出量に相違があった場合、各係止突起の寸法は各コネクタ１８ａ〜１８ｆの後端面に当接するように設計される。また、前記場合において、最も突出量の大きいもの（例えば、コネクタ１８ｄ）の後端面にのみ係止突起４６，４７の前端面が当接するようにしてもよい。
【００２４】
＜第１実施形態の作用＞
パチンコ遊技機１の組み立てにあたり、組立作業者は、遊技盤３の背面等に種々の機器や基板を取り付けた後、各電気ハーネス１７ａ〜１７ｆのコネクタ１８ａ〜１８ｆを対応するソケット１５ａ〜１５ｆに接続する。次に、組立作業者は、図８に示すように、コネクタカバー３０の第１ハーフ３１と第２ハーフ３２とを合体させた後、弾性係止片４２，４３を係止孔４５に嵌入させる。すると、弾性係止片４２，４３が内側に撓んで係止孔４５を通過した後に復元することで、図４に示すように係止爪４１，４３が係止孔４５の縁部に係合する。
【００２５】
本実施形態の場合、このような構成を採ったことにより、コネクタカバー３０を基板ケース６から取り外さない限り、ソケット１５ａ〜１５ｆからコネクタ１８ａ〜１８ｆを引き抜くことができない。そして、係止爪４１，４３の形状や寸法を適宜設定することで、例えば、不正行為者がコネクタカバー３０を上下から挟圧したような場合等にも、係止孔４５の縁部から係止爪４１，４３が外れないようにすることができる。
【００２６】
また、第１ハーフ３１と第２ハーフ３２とが各波状部３５ａ〜３５ｃに形成された拡開防止爪３６ａ〜３６ｃ，３７ａ，３７ｂによって互いに係合しているため、不正行為者が分割線３３にドライバ等を差し込んでこじったような場合にも、コネクタカバー３０が分割線３３から大きく開くことがない。なお、本実施形態では、係止突起４６，４７の前端面がコネクタ１８ａ〜１８ｆの後端面に当接しているため、第１ハーフ３１や第２ハーフ３２の倒れが生じ難く、コネクタカバー３０が分割線３３からより開き難くなっている。
【００２７】
これらにより、不正行為者が、コネクタカバー３０を破壊することなく（言い換えれば、痕跡を残すことなく）、パチンコ遊技機１から主制御基板７を取り外せなくなり、不正行為が極めて効果的に抑制される。
【００２８】
一方、メンテナンス作業者は、メンテナンス作業のために主制御基板７と電気ハーネス１７ａ〜１７ｆとを分離させる場合、先ず、ワンウェイスクリュー１９によって締結された締結ボス１３，１４をニッパー等によって切断し、基板ケース６を主制御基板７が固定されたケース本体１１とケースカバー１２とに分離させる。なお、図９に示すように、この分離によって、主制御基板７のソケット１５ａ〜１５ｆからのコネクタ１８ａ〜１８ｆの引き抜きも容易に行える。しかる後、メンテナンス作業者は、図９に示すように、工具等を用いて上下に撓めることで係止孔４５と係止爪４１，４３との係合を解き、コネクタカバー３０をケースカバー１２から取り外す。この作業は、ケースカバー１２の内側からなされるため、ケースカバー１２やコネクタカバー３０に傷を付ける虞は殆どない。
【００２９】
これにより、メンテナンス作業者は、コネクタ１８ａ〜１８ｆはソケット１５ａ〜１５ｆから容易に引き抜き、主制御基板７をパチンコ遊技機１から取り外して交換したり、検査機関へ持ち込んだりすることが可能となる。なお、主制御基板７を基板ケース６に再び収納した場合には、締結ボス１３，１４のうち別の２組をワンウェイスクリュー１９によって締結することで基板ケース６を封印し、しかる後、基板ケース６をパチンコ遊技機１に設置し、電気ハーネス１７ａ〜１７ｆやコネクタカバー３０を装着する。
【００３０】
≪第２実施形態≫
図１０は、第２実施形態に係るコネクタカバーの要部拡大断面図である。なお、第２実施形態については、その全体構成が上述した第１実施形態と同様であるため、同一の部材には同一の符号を付し、重複する説明も省略する。
【００３１】
まず、本実施形態の第１実施形態との相違箇所は、ケースカバー１２に主制御基板７を固定する図示しない固定部が設けられ、主制御基板７の基板ケース６への収容／保持が、主制御基板７をケースカバー１２に固定し、次いで、ケース本体１１をケースカバー１２に後述の締付ボス１３、１４を用いて固定することで行われる点である。なお、主制御基板７とケースカバー１２との固定はスクリュー（図示せず）によって行われ、このスクリューは主制御基板７側からケースカバー１２に螺入されるようになっている。また、スクリューの頭部は基板ケース６に収容されるようになっている。そして、図１０に示すように、第２実施形態では、ケースカバー１２側に各弾性係止片４２，４４が挿通される８つの挿通孔４８が形成され、弾性係止片４２，４４が嵌入する８つの係止孔４５が主制御基板７側に穿設されている。第２実施形態では、このような構成としたため、ケースカバー１２と主制御基板７とを分離させない限り、係止爪４１，４３を係止孔４５の縁部から外すことが不可能となり、不正行為がより一層効果的に抑制される。
【００３２】
以上で具体的実施形態の説明を終えるが、本発明の態様はこの実施形態に限られるものではない。例えば、上記各実施形態は本発明をパチンコ遊技機の主制御基板を収容する基板ケースに備えられたコネクタカバーに適用したものであるが、パチンコ遊技機の他の制御基板を収容するケースやパチスロ遊技機等の制御基板を収容するケースにも当然に適用可能である。また、上記実施形態では、コネクタカバーを２分割としたが、複数本の電気ハーネスと一体型のコネクタカバーとをアセンブリ化してもよい。その場合、コネクタカバーとしての汎用性は損なわれるが、不正行為者によって分割線にドライバ等が差し込まれるようなことが起こらず、不正行為がより一層効果的に抑制されとともに、生産性等の点で大量生産されるパチンコ遊技機用として好適である。その他、コネクタカバーの具体的構成や、基板ケースへの取付部位等についても、本発明の主旨を逸脱しない範囲であれば適宜変更可能である。
【図面の簡単な説明】
【００３３】
【図１】第１実施形態に係るパチンコ遊技機の背面を示す斜視図である。
【図２】第１実施形態に係る基板ケースの正面図である。
【図３】図２中のIII矢視図である。
【図４】図２中IV−IV拡大断面図である。
【図５】第１実施形態に係るコネクタカバーの正面図である。
【図６】第１実施形態に係るコネクタカバーの展開斜視図である。
【図７】第１実施形態に係るコネクタカバーの要部拡大断面図である。
【図８】第１実施形態の作用を示す説明図である。
【図９】第１実施形態の作用を示す説明図である。
【図１０】第２実施形態に係るコネクタカバーの要部拡大断面図である。
【符号の説明】
【００３４】
１      パチンコ遊技機
６      基板ケース
７      主制御基板
１１    ケース本体
１２    ケースカバー
１５    ソケット
１６  貫通孔
１７  電気ハーネス
１８  コネクタ
３０    コネクタカバー
３１    第１ハーフ
３２    第２ハーフ
３３    分割線
３４  貫通孔
３５  波状部
３６  拡開防止爪
３７  拡開防止爪
４１    係止爪
４２    弾性係止片（弾性係止手段）
４３    係止爪
４４    弾性係止片（弾性係止手段）
４５    係止孔
４６    係止突起
４７    係止突起
４８    挿通孔
【図１】
2008142302.tif 000003
【図２】
2008142302.tif 000004
【図３】
2008142302.tif 000005
【図４】
2008142302.tif 000006
【図５】
2008142302.tif 000007
【図６】
2008142302.tif 000008
【図７】
2008142302.tif 000009
【図８】
2008142302.tif 000010
【図９】
2008142302.tif 000011
【図１０】
2008142302.tif 000012